(57)【特許請求の範囲】
【請求項１】
受信機において期待されるデータアクティビティを決定する、そして、前記決定されたデータアクティビティに基づいて前記受信機によってチャネル品質インジケータ（ＣＱＩ）報告を調整する、少なくとも１つのプロセッサと、
前記少なくとも１つのプロセッサに結合されたメモリと、
を備え、
前記少なくとも１つのプロセッサは、前記受信機に対する周期的あるいは準周期的な伝送について期待された連続するパケット間の到達時間インターバルに基づき第１の時間期間に前記データアクティビティを決定し、
前記受信機に期待されたパケット到達後の前記第１の時間期間より短い第２の時間期間の終わりから、次の期待されたパケットについてのシグナリングの検出まであるいは前記次の期待されたパケットを復号するまで複数のＣＱＩを送信し、および前記第２の時間期間の間ＣＱＩを送信しない、装置。
【請求項２】
前記少なくとも１つのプロセッサは、前記受信機に到達したパケットに対し肯定応答（ＡＣＫ）を送信する場合には、当該パケットを復号した後で前記第２の時間期間の間、ＣＱＩを送信せず、また、前記第２の時間期間の終わりにＣＱＩの送信を再開する、請求項１に記載の装置。
【請求項３】
前記少なくとも１つのプロセッサは、
前記受信機においてシグナリングを検出した後にパケットを受信したとき、当該パケットに対し肯定応答（ＡＣＫ）を送信する場合には、当該パケットを復号した後で前記第２の時間期間の間はＣＱＩを送信せず、当該パケットに対し否定応答（ＮＡＣＫ）を送信する場合には、前記否定応答（ＮＡＣＫ）を送信した後にＣＱＩを送信する、請求項１に記載の装置。
【請求項４】
前記少なくとも１つのプロセッサは、前記第１の時間期間にシグナリングあるいはデータが受信されないときには第１のレートで複数のＣＱＩを送信し、また、シグナリングあるいはデータが受信されたときには前記第１のレートよりも早い第２のレートで複数のＣＱＩを送信する、請求項１に記載の装置。
【請求項５】
前記少なくとも１つのプロセッサは、シグナリングあるいはデータが受信されるときに、前記第１の時間期間を追うためにタイマをリセットする、請求項４に記載の装置。
【請求項６】
前記少なくとも１つのプロセッサは、連続パケット接続（ＣＰＣ）モードにおいて動作する場合、前記受信機に対して送信された伝送から予め定められた第３の時間期間内に新たな伝送が送信されなかったときには前記受信機の送信が許可されているＤＴＸ ＯＮ期間の間にのみに複数のＣＱＩを送信し、また、前記第３の時間期間内に前記新たな伝送が送信されたときには前記ＤＴＸ ＯＮ期間および前記受信機の送信が許可されていない前記ＤＴＸ ＯＦＦ期間の間に複数のＣＱＩを送信する、請求項１に記載の装置。
【請求項７】
前記少なくとも１つのプロセッサは、前記第３の時間期間内に前記新たな伝送が送信されなかったときには前記ＤＴＸ ＯＮ期間の間に、第１のレートで複数のＣＱＩを送信し、前記第３の時間期間内に前記新たな伝送が送信されたときには前記ＤＴＸ ＯＮおよび前記ＤＴＸ ＯＦＦ期間の間に、前記第１のレートよりも早い第２のレートで複数のＣＱＩを送信する、請求項６に記載の装置。
【請求項８】
受信機で期待されるデータアクティビティを決定することと、
前記決定されたデータアクティビティに基づいて、前記受信機によってチャネル品質インジケータ（ＣＱＩ）報告を調整することと、
を備え、
前記データアクティビティを決定することは、前記受信機に対する周期的あるいは準周期的な伝送について期待された連続するパケット間の到達時間インターバルに基づき第１の時間期間に前記データアクティビティを決定することを含み、
前記ＣＱＩ報告を調整することは、前記受信機に期待されたパケット到達後の前記第１の時間期間より短い第２の時間期間の終わりから、次の期待されたパケットについてのシグナリングの検出まであるいは前記次の期待されたパケットを復号するまで複数のＣＱＩを送信し、および前記第２の時間期間の間はＣＱＩを送信しないことを含む、方法。
【請求項９】
前記ＣＱＩ報告を調整することは、
前記受信機に到達したパケットに対し肯定応答（ＡＣＫ）を送信する場合には、当該パケットを復号した後で前記第２の時間期間の間はＣＱＩを送信しないことと、
当該パケットに対し否定応答（ＮＡＣＫ）を送信する場合には、前記否定応答（ＮＡＣＫ）を送信した後にＣＱＩを送信することと、
を備えている、
請求項８に記載の方法。
【請求項１０】
前記のＣＱＩ報告を調整することは、
前記第１の時間期間にシグナリングあるいはデータが受信されないときには第１のレートで複数のＣＱＩを送信することと、
シグナリングあるいはデータが受信されたときには前記第１のレートよりも早い第２のレートで複数のＣＱＩを送信することと、
を備えている、
請求項８に記載の方法。
【請求項１１】
連続パケット接続（ＣＰＣ）モードにおいて動作する場合には、
前記受信機に対して送信された伝送から予め定められた第３の時間期間内に新たな伝送が送信されなかったときには、前記受信機の送信が許可されているＤＴＸ ＯＮ期間の間にのみに複数のＣＱＩを送信することと、
前記第３の時間期間内に前記新たな伝送が送信されたときには、前記ＤＴＸ ＯＮ期間および前記受信機の送信が許可されていないＤＴＸ ＯＦＦ期間の間に、複数のＣＱＩを送信することと、
をさらに備えている、
請求項８に記載の方法。
【請求項１２】
受信機において期待されるデータアクティビティを決定するための手段と、
前記決定されたデータアクティビティに基づいて、前記受信機によってチャネル品質インジケータ（ＣＱＩ）報告を調整するための手段と、
を備え、
前記データアクティビティを決定する手段は、前記受信機に対する周期的あるいは準周期的な伝送について期待された連続するパケット間の到達時間インターバルに基づき第１の時間期間に前記データアクティビティを決定し、
前記ＣＱＩ報告を調整する手段は、前記受信機に期待されたパケット到達後の前記第１の時間期間よりも短い第２の時間期間の終わりから、次の期待されたパケットについてのシグナリングの検出まであるいは前記次の期待されたパケットを復号するまで複数のＣＱＩを送信し、前記第２の時間期間の間はＣＱＩを送信しない、装置。
【請求項１３】
前記のＣＱＩ報告を調整するための手段は、
前記受信機に到達したパケットに対しＡＣＫを送信する場合には、当該パケットを復号した後で前記第２の時間期間の間はＣＱＩを送信しないための手段と、
当該パケットに対し否定応答（ＮＡＣＫ）を送信する場合には、前記否定応答（ＮＡＣＫ）を送信した後にＣＱＩを送信するための手段と、
を備えている、
請求項１２に記載の装置。
【請求項１４】
前記のＣＱＩ報告を調整するための手段は、
前記第１の時間期間にシグナリングあるいはデータが受信されないときには、第１のレートで複数のＣＱＩを送信するための手段と、
シグナリングあるいはデータが受信されたときには、前記第１のレートよりも早い第２のレートで複数のＣＱＩを送信するための手段と、
を備えている、
請求項１２に記載の装置。
【請求項１５】
連続パケット接続（ＣＰＣ）モードにおいて動作する場合には、
前記受信機に対して送信された伝送から予め定められた第３の時間期間内に新たな伝送が送信されなかったときには、前記受信機の送信が許可されているＤＴＸ ＯＮ期間の間にのみに複数のＣＱＩを送信するための手段と、
前記第３の時間期間内に前記新たな伝送が送信されたときには、前記ＤＴＸ ＯＮ期間および前記受信機の送信が許可されていないＤＴＸ ＯＦＦ期間の間に複数のＣＱＩを送信するための手段と、
を備えている、
請求項１２に記載の装置。
【請求項１６】
受信機において期待されるデータアクティビティをコンピュータに決定させるためのコードと、
前記の決定されたデータアクティビティに基づいて、前記受信機によってチャネル品質インジケータ（ＣＱＩ）報告を前記コンピュータに調整させるためのコードと、
を備え、
前記データアクティビティを決定させるコードは、前記コンピュータに、前記受信機に対する周期的あるいは準周期的な伝送について期待された連続するパケットの到達時間インターバルに基づき第１の時間期間に前記データアクティビティを決定させるコードを備え、
前記ＣＱＩ報告を調整させるコードは、前記コンピュータに、前記受信機に期待されたパケット到達後の前記第１の時間期間より短い第２の時間期間の終わりから、次の期待されたパケットについてのシグナリングの検出まであるいは前記次の期待されたパケットを復号するまで、複数のＣＱＩを送信させ、および前記第２の時間期間の間はＣＱＩを送信させないコードを備える、コンピュータ可読記憶メディア。
【請求項１７】
前記ＣＱＩ報告を調整させるコードは、
前記受信機に到達したパケットに対しＡＣＫを送信する場合には、当該パケットを復号した後で前記第２の時間期間の間は、前記コンピュータにＣＱＩを送信させないためのコードと、
当該パケットに対し否定応答（ＮＡＣＫ）を送信する場合には、前記否定応答（ＮＡＣＫ）を送信した後にＣＱＩを前記コンピュータに送信させるためのコードと、
をさらに備えている、
請求項１６に記載のコンピュータ可読記憶メディア。
【請求項１８】
前記ＣＱＩ報告を調整させるコードは、
前記第１の時間期間にシグナリングあるいはデータが受信されないときには、第１のレートで複数のＣＱＩを前記コンピュータに送信させるためのコードと、
シグナリングあるいはデータが受信されたときには、前記第１のレートよりも早い第２のレートで複数のＣＱＩを前記コンピュータに送信させるためのコードと、
をさらに備えている、
請求項１６に記載のコンピュータ可読記憶メディア。
【請求項１９】
前記ＣＱＩ報告を調整させるコードは、連続パケット接続（ＣＰＣ）モードにおいて動作する場合、
前記受信機に対して送信された伝送から予め定められた第３の時間期間内に新たな伝送が送信されなかったときには、前記受信機の送信が許可されているＤＴＸ ＯＮ期間の間にのみに、複数のＣＱＩを前記コンピュータに送信させるためのコードと、
前記第３の時間期間内に前記新たな伝送が送信されたときには、前記ＤＴＸ ＯＮ期間および前記受信機の送信が許可されていないＤＴＸ ＯＦＦ期間の間に、複数のＣＱＩを前記コンピュータに送信させるためのコードと、
をさらに備えている、
請求項１６に記載のコンピュータ可読記憶メディア。
【請求項２０】
受信機からチャネル品質インジケータ（複数のＣＱＩ）を受信する、また、
前記受信機から受信された前記複数のＣＱＩに基づいて前記受信機にデータを送信する、少なくとも１つのプロセッサと、
なお、前記受信機によるＣＱＩ報告は、前記受信機において期待されるデータアクティビティに基づいて調整され、
前記データアクティビティは、前記受信機により、前記受信機に対する周期的あるいは準周期的な伝送について期待された連続するパケットの到達時間インターバルに基づき第１の時間期間に決定され、
前記ＣＱＩは、前記受信機に期待されたパケット到達後の前記第１の時間期間より短い第２の時間期間の終わりから、次の期待されたパケットについてのシグナリングの検出まであるいは前記次の期待されたパケットを復号するまで送信され、前記第２の時間期間の間前記ＣＱＩは送信されない；
前記少なくとも１つのプロセッサに結合されたメモリと；
を備える、装置。
【請求項２１】
前記少なくとも１つのプロセッサは、前記受信機にパケットを送信し、肯定応答（ＡＣＫ）が前記パケットについて受信される場合には、前記パケットの後、前記第２の時間期間の間複数のＣＱＩを受信せず、否定応答（ＮＡＣＫ）が前記パケットについて受信される場合には、前記ＮＡＣＫの後で複数のＣＱＩを受信する、請求項２０に記載の装置。
【請求項２２】
前記少なくとも１つのプロセッサは、前記受信機において前記第１の時間期間にシグナリングあるいはデータが受信されないとき、前記受信機から第１のレートで複数のＣＱＩを受信し、前記受信機においてシグナリングあるいはデータが受信されたとき、前記受信機から前記第１レートよりも早い第２のレートで複数のＣＱＩを受信する、請求項２０に記載の装置。
【請求項２３】
前記受信機が連続パケット接続（ＣＰＣ）モードにおいて動作する場合、前記少なくとも１つのプロセッサは、前記受信機に対して送信された伝送から予め定められた第３の時間期間内に新たな伝送が前記受信機へ送信されなかったときには、前記受信機からの送信が許可されているＤＴＸ ＯＮ期間の間にのみ複数のＣＱＩを受信し、前記第３の時間期間内に前記受信機へ前記新たな伝送が送信されたときには前記ＤＴＸ ＯＮ期間および前記受信からの送信が許可されていないＤＴＸ ＯＦＦ期間の間に複数のＣＱＩを受信する、請求項２０に記載の装置。
【請求項２４】
受信機からチャネル品質インジケータ（複数のＣＱＩ）を受信することと、なお、
前記受信機によるＣＱＩ報告は、前記受信機において期待されるデータアクティビティに基づいて調整され、
前記データアクティビティは、前記受信機において前記受信機に対する周期的あるいは準周期的な伝送について期待された連続するパケット間の到達時間インターバルに基づき第１の時間期間に決定され、
前記ＣＱＩは、前記受信機に期待されたパケット到達後の前記第１の時間期間より短い第２の時間期間の終わりから、次の期待されたパケットについてのシグナリングの検出まであるいは前記次の期待されたパケットを復号するまで送信され、前記第２の時間期間の間前記ＣＱＩは送信されない；
を備えている方法。
【請求項２５】
前記受信機にデータを前記送信することは、前記受信機にパケットを送信することを備えており、前記受信機から複数のＣＱＩを受信することは、
肯定応答（ＡＣＫ）が前記パケットについて受信される場合には、前記パケットの後前記第２の時間期間の間、複数のＣＱＩを受信しないことと、
否定応答（ＮＡＣＫ）が前記パケットについて受信される場合には、前記ＮＡＣＫの後で複数のＣＱＩを受信することと、
を備えている、
請求項２４に記載の方法。
【請求項２６】
前記受信機から複数のＣＱＩを前記受信することは、
前記受信機において前記第１の時間期間にシグナリングあるいはデータが受信されないときには、前記受信機から第１のレートで複数のＣＱＩを受信することと、
前記受信機においてシグナリングあるいはデータが受信されたときには、前記受信機から前記第１のレートよりも早い第２のレートで複数のＣＱＩを受信することと、
を備えている、
請求項２４に記載の方法。
【請求項２７】
前記受信機から複数のＣＱＩを前記受信することは、前記受信機は、連続パケット接続（ＣＰＣ）モードにおいて動作する場合、
前記受信機に対して送信された伝送から予め定められた第３の時間期間内に新たな伝送が前記受信機へ送信されなかったとき、前記受信機からの送信が許可されたＤＴＸ ＯＮ期間の間にのみ複数のＣＱＩを受信することと、
前記第３の時間期間内に前記受信機へ前記新たな伝送が送信されたとき、前記ＤＴＸＯＮ期間および前記受信機からの送信が許可されていないＤＴＸ ＯＦＦ期間の間に複数のＣＱＩを受信することと、
を備えている、
請求項２４に記載の方法。
【発明の詳細な説明】
【優先権主張】
【０００１】
（米国特許法第１１９条の下の優先権主張）
本願は、ここでの譲受人に譲渡され、参照することによりここに明示的に組み込まれている、２００６年９月２７日に出願された「動的チャネル品質報告のための方法(METHOD FOR DYNAMIC CHANNEL QUALITY REPORTING)」と題された米国仮特許出願第６０／８４７，７２７号の優先権を主張する。
【技術分野】
【０００２】
本開示は、一般に通信に関し、より具体的には、無線通信システムにおけるチャネル品質(channel quality)を報告するための技術に関する。
【背景技術】
【０００３】
無線通信システムにおいて、送信機は、出力チップを生成するために、トラフィックデータを典型的に処理する（例、エンコードし、変調する）。送信機は、そのあとで、無線周波数(radio frequency)（ＲＦ）信号を生成するために出力チップを処理し、無線チャネルを介してＲＦ信号を送信する。無線チャネルは、チャネルレスポンスで送信されたＲＦ信号をひずませ(distorts)、また、さらに、ノイズおよび干渉でＲＦ信号をデグレードする(degrades)。受信機は、送信されたＲＦ信号を受信し、サンプルを得るために受信されたＲＦ信号を処理する。受信機は、そのあとで、デコードされたデータを得るためにサンプルを処理する（例、復調し、デコードする(decodes)）。
【０００４】
高いスループット(high throughput)がデータ伝送について達成されることができるように、良いパフォーマンス(performance)が、無線チャネルを介してデータを送信することにより、達成され得る。これを容易にするために、受信機は、無線チャネルの品質を推定し、チャネル品質を送信機に報告することができる。送信機は、そのあとで、スループットを改善するために、報告されたチャネル品質に基づいて、受信機へのその伝送を調整することができる。
【０００５】
無線チャネルの特性は、フェージング(fading)、マルチパス(multipath)、干渉(interference)、等のような様々な要因のため、時間と共に(over time)変化するかもしれない。受信機は、送信機が最新のチャネル品質情報(up to date channel quality information)を有することができるということを保証するために、十分に早いレートで、チャネル品質を、周期的に(periodically)報告してもよい。しかしながら、無線リソース(radio resources)は、送信機にチャネル品質を報告するために費やされる。したがって、無線通信システムにおいてチャネル品質を効率的に報告するための技術に関する必要性が、当技術分野においてある。
【発明の概要】
【０００６】
無線通信のためのチャネル品質インジケータ(channel quality indicators)（ＣＱＩｓ）を効率的に報告するための技術が、ここにおいて説明される。一態様においては、受信機におけるデータアクティビティ(data activity)が決定されることができ、また、決定されたデータアクティビティに基づいて、受信機によるＣＱＩ報告(CQI reporting)が、調整されることができる。一つの設計において、データアクティビティは、受信機に対する周期的なあるいは準周期的な送信(a periodic or quasi-periodic transmission)についての予期されたパケット到達(expected packet arrivals)に基づいて、決定されることができる。ＣＱＩ報告は、各予期されたパケット到達のあたりのタイムウィンドウ(time window)の間、イネーブルにされる(may be enabled)ことができ、またタイムウィンドウの外で(outside of the time window)サスペンドされる(suspended)ことができる。別の設計においては、ＣＱＩ報告は、応答(acknowledgement)（ＡＣＫ）および否定応答(negative acknowledgement)（ＮＡＣＫ）フィードバックに基づいて変更されることができ、それは、潜在的な今後のデータアクティビティを示すことができる。例えば、ＣＱＩ報告は、正確にパケットをデコードした後、あらかじめ決定された時間期間Ｔｇの間、サスペンドされてもよく、また、あらかじめ決定された時間期間の終わりに再開されることができる。ＣＱＩ報告は、誤ってデコードされたパケットについてのＮＡＣＫを送信した後で、イネーブルにされることができる。
【０００７】
別の設計においては、データアクティビティが検出されないときには第１のレートで、また、データアクティビティが検出されるときには第１のレートよりも早い第２のレートで、ＣＱＩｓは、送信されることができる。シグナリング(signaling)あるいはデータが受信機によって受信されるとき、データアクティビティは、検出されることができる。最後に受信されたシグナリングあるいはデータのあらかじめ決定された時間期間Ｔｑ内に、シグナリングあるいはデータが受信されないときには、データアクティビティは宣言され (declared)なくてもよい。
【０００８】
受信機は、不連続伝送（ＤＴＸ）モードにおいて動作することができ、また、ＤＴＸＯＮ期間の間にのみ(only during DTX ON periods)データおよびシグナリングを送信することを許可されることができる。一設計においては、ＣＱＩｓは、データアクティビティが検出されないときには、ＤＴＸ ＯＮ期間の間にのみ送信されることができ、データアクティビティが検出されるときには、ＤＴＸ ＯＮおよびＯＦＦ期間の両方の間に、送信されることができる。この設計においては、データアクティビティが検出されるときには、ＣＱＩ報告は、ＤＴＸ ＯＦＦよりも高い優先権(priority)を有している。ＣＱＩｓは、データアクティビティが検出されないときにはＤＴＸ ＯＮ期間の間に(during the DTX ON periods)第１のレートで送信されてもよく、また、データアクティビティが検出されるときには、ＤＴＸ ＯＮおよびＯＦＦ期間の間に、第１のレートよりも早い第２のレートで、送信されてもよい。
【０００９】
本開示の様々な態様および特徴は、下記で、さらに詳細に説明されている。
【図面の簡単な説明】
【００１０】
【図１】図１は、無線通信システムを示す。
【図２】図２は、ＨＳＤＰＡにおける物理的なチャネルについてのタイミング図を示す。
【図３】図３は、ＨＳＤＰＡにおける、ダウンリンクおよびアップリンク上の伝送の例を示す。
【図４Ａ】図４Ａは、正確にデコードされたパケットについてのＣＱＩ報告を示す。
【図４Ｂ】図４Ｂは、正確にデコードされたパケットについてのＣＱＩ報告を示す。
【図５】図５は、誤ってデコードされたパケットについてのＣＱＩ報告を示す。
【図６】図６は、データアクティビティに依存する異なるレートでのＣＱＩ報告を示す。
【図７】図７は、ＤＴＸモードにおけるＣＱＩ報告を示す。
【図８】図８は、受信機、例えばＵＥ、によって実行されたプロセスを示す。
【図９】図９は、送信機、例えばノードＢ、によって実行されたプロセスを示す。
【図１０】図１０は、ＵＥおよびノードＢのブロック図を示す。
【発明を実施するための形態】
【００１１】
図１は、複数のノードＢｓ１１０およびユーザ機器（ＵＥｓ）１２０を備えた無線通信システム１００を示している。ノードＢは、一般にＵＥｓと通信する固定された局であり、また、進化したノードＢ(evolved Node B)（ｅＮＢ）、基地局、アクセスポイント、等、とも呼ばれてもよい。各ノードＢ１１０は、特定の地理エリアについての通信サービスエリアを提供し、サービスエリア内に配置された(located)ＵＥｓについての通信をサポートする。システムコントローラ１３０は、ノードＢｓ１１０に結合されており、これらのノードＢｓについての制御および調整(coordination)を提供する。システムコントローラ１３０は、単一のネットワークエンティティあるいはネットワークエンティティの集まりであってもよい。
【００１２】
ＵＥｓ１２０は、システムの全体にわたって分散されていてもよく、また、各ＵＥは、固定(stationary)であってもよいし、あるいは、モバイル(mobile)であってもよい。ＵＥは、また、モバイル局、端末、アクセス端末、加入者ユニット、局、等と呼ばれることもできる。ＵＥは、セルラ電話(cellular phone)、携帯情報端末(personal digital assistant)（ＰＤＡ）、無線デバイス、ハンドヘルドデバイス、無線モデム、ラップトップコンピュータ、等、であってもよい。
【００１３】
ここに説明される技術は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、単一キャリアＦＤＭＡ（ＳＣ−ＦＤＭＡ）システム、等、のような様々な無線通信システムに使用されることができる。用語「システム(system)」および「ネットワーク(network)」は、しばしば、互換性をもって(interchangeably)使用される。ＣＤＭＡシステムは、ユニバーサル地上波ラジオ接続(Universal Terrestrial Radio Access)（ＵＴＲＡ）、ｃｄｍａ２０００、等、のような無線技術(radio technology)をインプリメントすることができる(implement)。ＵＴＲＡは、広帯域ＣＤＭＡ（Ｗ−ＣＤＭＡ）および時分割同期ＣＤＭＡ（ＴＤ−ＳＣＤＭＡ）を含んでいる。ｃｄｍａ２０００は、ＩＳ−２０００、ＩＳ−９５およびＩＳ−８５６標準規格をカバーする(covers)。ＴＤＭＡシステムは、モバイル通信のためのグローバルシステム（Global System for Mobile Communications）（ＧＳＭ（登録商標））、のような無線技術をインプリメントすることができる。ＯＦＤＭＡシステムは、進化したＵＴＲＡ(Evolved UTRA)(E-UTRA)、ウルトラモバイルブロード (Ultra Mobile Broadband)（ＵＭＢ）、ＩＥＥＥ８０２．２０、ＩＥＥＥ８０２．１６（ＷｉＭＡＸ）、フラッシュＯＦＤＭ（Ｒ）、等、のような無線技術をインプリメントすることができる。ＵＴＲＡおよびＥ−ＵＴＲＡは、ユニバーサルモバイルテレコミュニケーションシステム(Universal Mobile Telecommunication System)（ＵＭＴＳ）の一部である。３ＧＰＰロングタームエボリューション(Long Term Evolution)（ＬＴＥ）は、Ｅ−ＵＴＲＡを使用するＵＭＴＳの来たるべきリリース(upcoming release)であり、ダウンリンク上でＯＦＤＭを、アップリンク上でＳＣ−ＦＤＭＡを、使用する。ＵＴＲＡ、ｅ−ＵＴＲＡ、ＵＭＴＳ、ＬＴＥおよびＧＳＭは、「第３世代パートナーシッププロジェクト(3rd Generation Partnershi
p Project)」（３ＧＰＰ）と名付けられた組織からの文書に記述されている。ｃｄｍａ２０００は、「第３世代パートナーシッププロジェクト２」（３ＧＰＰ２）と名付けられた組織からの文書に説明されている。これら様々な無線技術および標準規格は、当技術分野において知られている。明確にするために、技術のある態様は、ＵＭＴＳについて下記に説明されており、３ＧＰＰ用語は、下記の説明の多くにおいて使用されている。
【００１４】
ＵＭＴＳにおいては、ＵＥについてのデータは、より高い層で、１つまたは複数のトランスポートチャネルとして処理されることができる。トランスポートチャネルは、例えば音声、ビデオ、パケットデータ、等、のような、１つまたは複数のサービスについてのデータを搬送することができる。トランスポートチャネルは、物理層で物理的なチャネルへと、マッピングされることができる。物理チャネルは、異なるチャネル化コードでチャネル化されることができ、また、したがって、コードドメインにおいて互いに直交であることができる。
【００１５】
３ＧＰＰリリース５およびそれ以降(3GPP Release 5 and later)は、高速ダウンリンクパケット接続(High-Speed Downlink Packet Access)（ＨＳＤＰＡ）をサポートし、それは、ダウンリンク上の高速パケットデータ伝送をイネーブルにする１セットのチャネルおよびプロシージャ(procedures)である。ＨＳＤＰＡについては、ノードＢは、高速ダウンリンクの共有チャンネル(High Speed Downlink Shared Channel)（ＨＳ−ＤＳＣＨ）上で、データを送信することができ、それは、時間とコードの両方においてＵＥｓによって共有されるダウンリンクトランスポートチャネルである。ＨＳ−ＤＳＣＨは、それぞれの伝送時間インターバル(transmission time interval)（ＴＴＩ）において、１つまたは複数のＵＥｓについてのデータを搬送することができる。ＨＳ−ＤＳＣＨの共有は、動的であってもよく、ＴＴＩからＴＴＩへと変更してもよい。
【００１６】
表１は、ＨＳＰＤＡに使用される、いくつかのダウンリンクおよびアップリンク物理チャネルをリストし、また、各物理チャネルについて短い説明を提供する。
【表１】
0005591861.tif 000002
【００１７】
図２は、表１において与えられた物理チャネルについてのタイミング図を示している。伝送タイムライン(transmission time line)は、無線フレーム(radio frames)に分割されており、各無線フレームは、１０ミリ秒（ｍｓ）の持続期間を有している。ＨＳＤＰＡについては、各無線フレームは、５つのサブフレームへ分割され、各サブフレームは、２ｍｓの持続期間を有し、３スロットを含んでおり、また各スロットは、０．６６７ｍｓの持続期間を有している。ＴＴＩは、ＨＳＤＰＡについての１つのサブフレームと等しく、また、ＵＥがスケジュールされ、サーブされることができる（UE may be scheduled and served）、時間の最小単位である。
【００１８】
図２は、また、ＵＥについてのＨＳ−ＳＣＣＨ、ＨＳ−ＰＤＳＣＨ、そしてＨＳ−ＤＰＣＣＨの間のタイミングオフセットを示している。ＨＳ−ＳＣＣＨは、無線フレームの境界(radio frame boundary)に、位置合わせされる。ＨＳ−ＰＤＳＣＨは、ＨＳ−ＳＣＣＨの２スロット後で始める。ＨＳ−ＤＰＣＣＨは、ＨＳ−ＰＤＳＣＨ上の対応する伝送の終了からおよそ７．５スロットで始める。
【００１９】
ＨＳＤＰＡについては、ノードＢは、各ＴＴＩにおいて、１つまたは複数のＵＥｓをサーブすることができる。ノードＢは、ＨＳ−ＳＣＣＨ上でスケジュールされたＵＥｓのためにシグナリングを送信することができ、２スロット後のＨＳ−ＰＤＳＣＨ上でデータを送信することができる。シグナリングは、スケジュールされたＵＥｓと、各スケジュールされたＵＥのために使用されたトランスポートフォーマット(transport format)と、を識別することができる。ＨＳ−ＰＤＳＣＨ上のデータを潜在的に受信できるＵＥｓは、それらがスケジュールされたかどうかを決定するために、ＨＳ−ＳＣＣＨを処理することができる。スケジュールされたＵＥｓは、これらのＵＥｓに送信されたデータを回復するために、ＨＳ−ＰＤＳＣＨをさらに処理することができる。スケジュールされたＵＥｓは、正しくデコードされたパケットについてはＨＳ−ＤＰＣＣＨ上でＡＣＫｓを、あるいは、誤ってデコードされたパケットについてはＮＡＣＫｓを、送信することができる。パケットは、また、トランスポートブロック(transport block)、データフレーム、データブロック、等、とも呼ばれてもよい。スケジュールされたおよびスケジュールされてないＵＥｓは、ダウンリンク上のデータ伝送でノードＢを助ける(assist)ために、ＨＳ−ＤＰＣＣＨ上でＣＱＩｓを送信することができる。
【００２０】
ＨＳＤＰＡについては、ＵＥは、ＨＳ−ＳＣＣＨオペレーションあるいはＨＳ−ＳＣＣＨ無しのオペレーション(HS-SCCH-less operation)のいずれかについて構成されることができる。ＨＳ−ＳＣＣＨオペレーションについては、シグナリングあるいはスケジューリング情報は、ＨＳ−ＰＤＳＣＨ上のパケットの伝送の２スロット前のＨＳ−ＳＣＣＨ上でＵＥに送信される。ＵＥは、シグナリングがＵＥに送信されたかどうかを決定するためにＨＳ−ＳＣＣＨをモニタすることができ、また、ＨＳ−ＳＣＣＨ上のシグナリングを検出するときにＨＳ−ＰＤＳＣＨを処理することができる。ＨＳ−ＳＣＣＨ無しのオペレーションについては、シグナリングは、ＨＳ−ＰＤＳＣＨ上のパケットの伝送の前に、ＨＳ−ＳＣＣＨ上でＵＥに送信されない。ＵＥは、ＵＥにデータが送信されたか、されていないかを決定するために、あらかじめ構成されたパラメータ(preconfigured parameters)に基づいて、ＨＳ−ＰＤＳＣＨを処理することができる。ＨＳ−ＳＣＣＨおよびＨＳ−ＳＣＣＨ無しのオペレーションの両方については、シグナリングは、ＵＥに対して、パケットの再伝送の前に送信されることができる。
【００２１】
図３は、ＨＳＰＤＡについてのダウンリンクおよびアップリンク上の伝送の例を示している。ＵＥは、ＨＳＤＰＡにおけるＨＳ−ＳＣＣＨオペレーションについて構成されることができ、また、各サブフレームにおいてＨＳ−ＤＰＣＣＨ上でＣＱＩを送信することができる。ＵＥは、それがいつノードＢによってサーブされる(served)のかを知らない可能性がある。したがって、もしノードＢがＵＥをサーブすることを決定するときには、ノードＢがＵＥについて最新のＣＱＩ(up to date CQI)を有するように、ＵＥは、各サブフレームにおいて周期的にＣＱＩを送信することができる。
【００２２】
もしＵＥが与えられたサブフレームにおいてダウンリンク上のデータ伝送についてノードＢによってスケジュールされる場合には、そのときには、ノードＢは、ＵＥに対するデータ伝送についての伝送力および適切なトランスポートフォーマットを決定するために、ＵＥからの最も新しいＣＱＩ(the most recent CQI)を使用することができる。トランスポートフォーマットは、ＵＥに対するデータ伝送のために使用する、変調スキーム、トランスポートブロックサイズ、およびチャネル化コードセットを示すことができる。ノードＢは、そのあとで、ＨＳ−ＳＣＣＨ上でＵＥについてのシグナリング(signaling)（Ｓｉｇ）を送信することができ、また、２スロット後のＨＳ−ＰＤＳＣＨ上で、データのパケット(packet)（Ｐａｃ）を送信することができる。
【００２３】
ＵＥは、シグナリングがＵＥのために送信されたかどうかを決定するために、各サブフレームにおいてＨＳ−ＳＣＣＨを処理することができる。ＵＥが与えられたサブフレームにおいてスケジュールされる場合には、そのときには、ＵＥは、シグナリングからトランスポートフォーマットを得ることができ、また、そのあとで、ＵＥに対して送信されたパケットを回復するために、トランスポートフォーマットに基づいて、ＨＳ−ＰＤＳＣＨを処理することができる。ＵＥは、そのあとで、パケットが正しくデコードされる場合にはＡＣＫを、あるいは、そうでない場合にはＮＡＣＫを、のいずれかを送信することができる。
【００２４】
図３は、各サブフレームにおいて送信されているＣＱＩを示している。ＣＱＩは、また、また、あらかじめ決定されたＣＱＩ報告のパターン、例えば５ｍｓごとに１ＣＱＩ、に基づいて、送信されることができる。
【００２５】
一般に、受信機は、受信機に対するデータリンク上のデータ伝送について適切なパラメータ（例、変調スキーム、コードレート、ブロックサイズ、等）を選択する情報を送信機に提供するために、無線通信システムにおけるフィードバックリンク上でＣＱＩｓを送信することができる。ＣＱＩｓは、送信機が、受信機に対してより効率的にデータを送信することを可能にする。チャネル条件は、送信機および／または受信機による動き、外部干渉、フェージングおよびマルチパス効果、等のような、様々な要因により変わってもよい。良いパフォーマンスについては、ＣＱＩｓは、データが受信機に対して送信機によって送信される時間のときに、チャネル条件を正確に反映するべきである。したがって、ＣＱＩｓは、異なるチャネル(varying channel)をトラッキングする(track)ために、頻繁に送信されてもよい。しかしながら、頻繁にＣＱＩｓを送信することは、フィードバックリンク上のかなりの量の無線リソースを消費する可能性がある。したがって、可能なときに、送信されているＣＱＩｓの周波数を低減することは望ましい。
【００２６】
一態様において、ＣＱＩ報告は、受信機で、データアクティビティに基づいて、動的に、変わってもよい。データアクティビティは、様々な方法で決定されてもよい。一設計において、周期的あるいは準周期的な伝送のためのデータアクティビティは、予期されたパケット到達に基づいて決定されることができる。あるアプリケーションは、規則的なインターバル、例えば１０ｍｓごと、２０ｍｓごと、等、でパケットを送信することができる。周期的な伝送を送信するアプリケーションのいくつかの例は、ボイスオーバーインターネットプロトコル(Voice-over-Internet Protocol)（ＶｏＩＰ）と、２方式の音声およびビデオ通信をカバーしているビデオ電話(video telephony)と、１方式の非同期化された音声およびビデオ通信をカバーしている、ビデオ共有(Video share)（Ｖｓｈａｒｅ）と、を含んでいる。準周期的な伝送（厳密に周期的な動作(periodic behavior)を有さない可能性がある）のいくつかの例は、サイレント期間(silent periods)の間に送信されたサイレンスディスクリプタ(silence descriptor)（ＳＩＤ）フレーム、伝送バンドリングあるいは再伝送のため異なるインターバルを備えたデータパケット、等、を含んでいる。周期的あるいは準周期的な伝送を送信するアプリケーションについては、複数の連続的なパケット(consecutive packets)間の期待された時間インターバルは、パケットインター到達時間(a packet inter-arrival time)Ｔｐとして知られ、呼ばれることができる。データアクティビティは、最後にパケットが受信されたときからのパケットインター到達時間のときに、あるいはその近くの時間に(near)、期待されることができる。
【００２７】
別の設計においては、データアクティビティは、現在のパケット伝送のステータスに基づいて決定されることができる。例えば、パケットが誤ってデコードされ、ＮＡＣＫが送信される場合には、そのときには、パケットの再伝送は、すぐに期待されてもよい。反対に、パケットが正確にデコードされ、ＡＣＫが送信される場合には、そのときには、新しいパケット到達時間まで、新しいパケットは、期待されていなくてもよい。
【００２８】
さらに別の設計では、データアクティビティは、データリンク上の受信信号に基づいて決定されることができる。例えば、受信機に定められたパケット(a packet destined for the receiver)が、受信信号から検出される場合には、そのときには、いくつかのアプリケーションのバースト的性質(bursty nature)のため、より多くのパケットが期待されてもよい。この設計は、非周期的な伝送のために使用されることができる。
【００２９】
いずれのケースにおいても、ＣＱＩ報告は、データアクティビティが検出されるときにはいつでも増大されることができ、また、そうでない場合には、減少されることができる。ＶｏＩＰのような周期的あるいは準周期的な伝送については、送信機がパケットを送る可能性があるときにはいつでも、ＣＱＩｓは送信されてもよく、また、パケットが期待されていないときにはスキップされてもよい。下記で説明されるように、ＣＱＩ報告は、様々な方法で、動的に変更されることができる。
【００３０】
一設計において、ＶｏＩＰのような周期的あるいは準周期的な伝送については、ＣＱＩｓは、パケットの連続受信の後、あらかじめ決定されたゲートオフされた時間期間(predetermined gated off time period)Ｔｇの間に、送信されない。ゲートオフされた時間期間Ｔｇは、パケットインターバル到達時間Ｔｐよりも十分に短いように選択されることができるので、少なくとも１つのＣＱＩは、次のパケットについて送信機による使用のために、送信されることができる。Ｔｇは、パケット到達回数(packet arrival times)におけるジッタの量(amount of jitter)に基づいてさらに選択されることができ、例えば、より長いＴｇは、低いジッタのために使用されることができ、より短いＴｇは、大きいジッタのために使用されることができる。
【００３１】
図４Ａは、パケットが正しくデコードされるケースについて、ＨＳＰＤＡにおけるＨＳ−ＳＣＣＨのために構成されたＵＥによるＣＱＩ報告の設計を示している。明確にするために、図４Ａは、ＨＳ−ＰＤＳＣＨに関するサブフレームを示す。
【００３２】
ＵＥは、サブフレーム０および１のそれぞれにおけるＨＳ−ＤＰＣＣＨ上でＣＱＩを送信する。ノードＢは、パケットＡ用のトランスポートフォーマットを選択するために、サブフレーム０において送信されたＣＱＩを使用し、サブフレーム１におけるＨＳ−ＳＣＣＨ上でＵＥのためのシグナリングを送信し、そして、サブフレーム２におけるＨＳ−ＰＤＳＣＨ上でパケットＡを送信する。ＵＥは、サブフレーム１におけるパケットＡについてのシグナリングを受信した後で、サブフレーム２で始めて、ＣＱＩを送信することをサスペンドする。ＵＥは、正確にパケットＡをデコードし、パケットＡの終了から始めて、ゲートオフされた時間期間Ｔｇの間、ＣＱＩを送信することをサスペンドする。図４Ａにおいて示される設計では、パケットインター到達時間Ｔｐは、２０ｍｓであり、また、ゲートオフされた時間期間Ｔｇは、１３ｍｓである。ＵＥは、サブフレーム５においてパケットＡについてのＡＣＫを送信する。
【００３３】
サブフレーム１０の前に、ゲートオフされた時間期間Ｔｇは終了し、また、ＵＥは、サブフレーム１０および１１のそれぞれにおいてＨＳ−ＤＰＣＣＨ上で、ＣＱＩを送信する。ノードＢは、パケットＢについてのトランスポートフォーマットを選択するためにサブフレーム１０で送信されたＣＱＩを使用し、サブフレーム１２におけるＨＳ−ＰＤＳＣＨ上でパケットＢを送信する。ＵＥは、サブフレーム１１におけるＨＳ−ＳＣＣＨ上でパケットＢについてのシグナリングを受信する際に、サブフレーム１２においてＣＱＩを送信することをサスペンドする。ＵＥは、パケットＢを正しくデコードし、パケットＢの終了から始めて、ゲートオフされた時間期間Ｔｇの間に、ＣＱＩを送信することをサスペンドする。ＵＥは、サブフレーム１５でパケットＢについてのＡＣＫを送信する。そのプロセスは、各後続パケットについて繰り返されることができる。
【００３４】
図４Ｂは、パケットが正しくデコードされる場合について、ＨＳＤＰＡにおけるＨＳ−ＳＣＣＨ無しオペレーションのために構成されたＵＥによるＣＱＩ報告の設計を示す。ＵＥは、サブフレーム０で始めて、ＨＳ−ＤＰＣＣＨ上のＣＱＩｓを送信する。ノードＢは、パケットＡについてのトランスポートフォーマットを選択するために、サブフレーム０において送信されたＣＱＩを使用し、また、サブフレーム２におけるＨＳ−ＰＤＳＣＨ上でパケットＡを送信する。ノードＢは、ＨＳ−ＳＣＣＨ無しオペレーションについては、ＨＳ−ＳＣＣＨ上でシグナリングを送信しないので、ＵＥは、各サブレフレームにおいてＨＳ−ＤＰＣＣＨをデコードすることを試みてもよい。ＵＥは、ＨＳ−ＤＰＣＣＨ上のパケットを正確にデコードした後でのみ、それがスケジュールされたということを知るであろう。ＵＥはパケットＡを正確にデコードし、パケットＡの終了から始めて、ゲートオフされた時間期間Ｔｇの間、ＣＱＩを送信することをサスペンドする。ＵＥは、サブフレーム５においてパケットＡについてのＡＣＫを送信する。
【００３５】
サブフレーム１０の前にゲートオフされた時間期間Ｔｇは、終了し、また、ＵＥは、サブフレーム１０で始めて、ＨＳ−ＤＰＣＣＨ上でＣＱＩｓを送信する。ノードＢは、パケットＢについてのトランスポートフォーマットを選択するためにサブフレーム１０において送信されたＣＱＩを使用し、サブフレーム１２においてＨＳ−ＰＤＳＣＨ上でパケットＢを送信する。ＵＥは、パケットＢを正確にデコードし、パケットＢの終了から始めて、ゲートオフされた時間期間Ｔｇの間にＣＱＩを送信することをサスペンドする。ＵＥは、サブフレーム１５においてパケットＢについてのＡＣＫを送信する。そのプロセスは各後続パケットについて繰り返されることができる。
【００３６】
図４Ａおよび４Ｂにおいて示される設計では、サブフレームｎにおいて送信されたＣＱＩは、サブフレームｎ＋２において送信されたパケットのために使用されることができる。すなわち、ＣＱＩが送信された時間からＣＱＩが使用される時間まで、およそ２サブフレームの遅延がある。ゲートオフされた時間期間Ｔｇは、１つのＣＱＩが次の期待されたパケットの使用について利用可能であり、送信されることができるように、選択されることができる。図４Ａにおいて示される設計では、ＣＱＩは、ＨＳ−ＰＤＳＣＨ上で送信される次のパケットについてのシグナリングの検出まで、各サブフレームにおいて送信されることができる。図４Ｂで示される設計では、ＨＳ−ＰＤＳＣＨ上で送信されたパケットが正確にデコードされるまで、ＣＱＩは、各サブフレームにおいて送信されることができる。これらの設計は、次のパケットが遅延される、例えばサブフレーム１２の代わりにサブフレーム１３あるいは１４において送信される、場合において、最新ＣＱＩ(up to date CQI)をノードＢに提供することができる。
【００３７】
別の設計においては、ＣＱＩｓは、あらかじめ決定された数のサブフレームにおいて送信されてもよく、そのあとで、サスペンドされてもよい。例えば、ＣＱＩは、ゲートオフされた時間期間Ｔｇの終了のときに、１つのサブフレームで、例えばサブフレーム１１あるいは１２ではなくサブフレーム１０において、送信されることができる。別の例として、ＣＱＩｓは、ゲートオフされた時間期間Ｔｇの終了のときに、２つのサブフレームにおいて、例えばサブフレーム１０および１１において、送信されてもよい。ＣＱＩｓを送信するサブフレームの数は、パケットインター到達時間Ｔｐにおけるジッタの量に基づいて選択されることができる。一般に、次のパケットについてのシグナリングが検出されるまで、ＣＱＩｓを送信することを続けることは、最新ＣＱＩが次のパケットに利用可能であるということを保証することができる。しかしながら、限られた数のサブフレームにおいてＣＱＩｓを送信することは、ＣＱＩオーバーヘッドの量(amount of CQI overhead)を減らす可能性がある。
【００３８】
図４Ａおよび４Ｂに示されるＡＣＫのケースは、より頻繁に生じる可能性があり、また、よいチャネル条件に対応してもよい。したがって、より積極的なＣＱＩゲーティングは、ＡＣＫのケースのために使用されることができる。
【００３９】
図５は、パケットが誤ってデコードされるケースの、ＨＳＤＰＡにおけるＨＳ−ＳＣＣＨ無しオペレーションのために構成されたＵＥによる、ＣＱＩ報告の設計を示す。ＵＥは、サブフレーム０で始めて、ＨＳ−ＤＰＣＣＨ上でＣＱＩｓを送信する。ノードＢは、パケットＡについてのトランスポートフォーマットを選択するためにサブフレーム０に送信されたＣＱＩを使用し、サブフレーム２におけるＨＳ−ＰＤＳＣＨ上のパケットＡを送信する。ＵＥは、パケットＡをミスする、例えば、パケットＡの存在を検出しなかった、あるいは、誤ってパケットＡをデコードした。ＵＥは、各サブフレームにおいてＣＱＩを送信することを続け、サブフレーム５でＡＣＫあるいはＮＡＫを送信しない。
【００４０】
ノードＢは、サブフレーム５において予期されたＡＣＫやＮＡＣＫを受信しない。ノードＢは、サブフレーム８におけるパケットＡの再伝送のためのトランスポートフォーマットを選択するために、サブフレーム６において送信されたＣＱＩを使用する。ＵＥは、サブフレーム７におけるＨＳ−ＳＣＣＨ上でシグナリングを受信し、サブフレーム８で始まって、ＣＱＩを送信することをサスペンドすることができる。
【００４１】
ＵＥは、再び、誤ってパケットAをデコードする。第１の設計では、ＵＥは、ＮＡＣＫが送信されるまで各サブフレームにおいてＣＱＩを送信することをサスペンドすることを続け、また、その後で、シグナリングがＨＳ−ＳＣＣＨ上で再び受信されるまで、各サブフレームにおいてＣＱＩを送信することを始める。この設計については、ＵＥは、サブフレーム９から１１のうちのそれぞれにおいてＣＱＩを送信することをサスペンドし、ＮＡＣＫを送信した後でサブフレーム１２においてＣＱＩを送信することを開始し、また、ＨＳ−ＳＣＣＨ上でシグナリングを受信した後で、サブフレーム１４においてＣＱＩを送信することをサスペンドするであろう。第２の設計においては、ＵＥは、シグナリングがＨＳ−ＳＣＣＨ上で受信されるまで、各サブフレームにおいてＣＱＩを送信することを開始する。この設計については、ＵＥは、サブフレーム９から１３のうちのそれぞれにおいてＣＱＩを送信し、シグナリングがサブフレーム１３において受信されるときに、ＣＱＩを送信することをサスペンドするであろう。いずれのケースにおいても、ＵＥは、サブフレーム１１においてパケットＡについてのＮＡＣＫを送信し、サブフレーム１２および１３のそれぞれにおいてＣＱＩを送信する。
【００４２】
ノードＢは、サブフレーム１４においてパケットＡの別の再伝送のためのトランスポートフォーマットを選択するために、サブフレーム１２において送信されたＣＱＩを使用する。ＵＥは、サブフレーム１３においてＨＳ−ＳＣＣＨ上のシグナリングを受信し、サブフレーム１４で始まり、ＣＱＩｓを送信することをサスペンドする。ＵＥは、パケットＡを正確にデコードし、また、正しくデコードされたパケットＡの終了から始めて、ゲートオフされた時間期間Ｔｇの間に、ＣＱＩｓを送信することをサスペンドすることができる。ＵＥは、サブフレーム１７においてパケットＡについてのＡＣＫを送り、ゲートオフされた時間期間Ｔｇの終了のときに、サブフレーム２２においてＣＱＩｓを送信することを再開する。Ｔｇは、オリジナル値(original value)に維持されてもよく（図５で示されているように）、あるいは、次のパケットの期待された到達時間に基づいて減らされてもよい（図５では示されていない）。
【００４３】
簡略化のために、図４Ａ、４Ｂおよび５は、１つのパケットのみが送信され、同時に再送されるケースを示す。マルチプルパケット(multiple packets)は、時間インタレース方法(time interlaced manner)で、送信されることができる。このケースにおいては、すべてのＮＡＣＫｓが取り除かれたときに、ＣＱＩ報告は、サスペンドされることができる。
【００４４】
図５に示されるＮＡＣＫのケースは、より頻繁には生じない可能性があり、また、悪いチャネル条件(poor channel conditions)に対応していてもよい。より少ないＣＱＩゲーティングは、悪いチャネル条件と一層よく戦うために(to better combat)、ＮＡＣＫケースについて使用されることができる。
【００４５】
別の態様では、ＣＱＩ報告のレートは、データアクティビティが検出されたかどうかに基づいて、変更されてもよい。受信機は、データアクティビティが検出されないときには、第１のレートでＣＱＩを報告することができ、データアクティビティが検出されるときには、第１のレートよりも早い第２のレートでＣＱＩを報告することができる。データアクティビティは、ＨＳ−ＳＣＣＨ上で送信されたシグナリングに基づいて、ＨＳ−ＤＰＣＣＨ上で送信されたデータに基づいて、および／またはいくつかの他の方法において、検出されることができる。
【００４６】
一設計において、受信機は、はじめに第１のモードにおいて動作することができ、また、第１のレートでＣＱＩを報告することができる。受信機は、第２のモードに入り、また、受信機が受信機に対して送信された伝送を検出するときに、第２のレートでＣＱＩを報告することができる。一設計においては、受信機は、受信機に対して送信される最後の伝送のあらかじめ決定された時間期間Ｔｑ内で新しい伝送が検出されるかぎり、第２のモードのままでもよい。Ｔｑは、様々な要因、例えば新しいパケットの期待されたインター到達時間(inter-arrival time)、望ましい量のＣＱＩオーバーヘッドにおける縮小(desired amount of reduction in CQI overhead)、等、に基づいて選択されることができる。例えば、Ｔｑは、１０個のサブフレーム(２０ｍｓである)あるいは、なんらかの他の値にセットされることができる。受信機は、可変量の時間(variable amount of time)の間、第２のモードのままでもよく、受信機においてデータアクティビティの量に依存していてもよい。受信機は、伝送があらかじめ決定された時間期間Ｔｑ内に受信機によって受信されなかった場合には、第１のモードに戻ってもよい。
【００４７】
図６は、ＨＳＤＰＡについてのデータアクティビティに依存している異なるレートでのＣＱＩ報告の設計を示している。ＵＥは、サブフレーム０で始めて、第１のレート（例、４サブフレームごとに）で、ＨＳ−ＤＰＣＣＨ上でＣＱＩｓを送信する。ノードＢは、パケットＡについてのトランスポートフォーマットを選択するためにサブフレーム０において送信されたＣＱＩを使用し、サブフレーム２におけるＨＳ−ＰＤＳＣＨ上でパケットＡを送信する。ＵＥは、ＨＳ−ＳＣＣＨ上で送信されたシグナリングに基づいてＵＥに対して送信されているパケットＡを検出し、あるいは、ＨＳ−ＳＣＣＨ無しのオペレーションの場合には、ＨＳ−ＳＣＣＨ上でいずれのシグナリングを受信することなく、パケットＡをデコードする。いずれのケースにおいても、ＵＥは、第２のレートで（例、サブフレームごとに）ＣＱＩｓを報告することを始める。ＵＥは、あらかじめ決定された時間期間の経過を追うためにタイマ(timer)を保持することができ、また、パケットＡの終了のときにＴｑにタイマをリセットすることができる。Ｔｑは、図６の例において、１６ｍｓに設定されるが、また、さらに、他の値、例えば、０、１、２、４、８、１６、３２、６４、１２８、２５６、５１２、あるいは無限大に設定されることができる。ＵＥは、タイマが失効する(expires)まで、第２のレートでＣＱＩｓを報告することを続ける。
【００４８】
ノードＢは、パケットＢについてのトランスポートフォーマットを選択するために、サブフレーム７において送信されたＣＱＩを使用し、サブフレーム９においてＨＳ−ＰＤＳＣＨ上でパケットＢを送信する。ＵＥは、タイマの終了の前にパケットＢを受信し、パケットＢを正確にデコードし、タイマをパケットＢの終わりにＴｑにリセットする。ＵＥは、タイマが失効するまで、第２のレートでＣＱＩｓを報告し続ける。タイマは、サブフレーム１８の間に失効し、また、ＵＥは、この時点から、第１のレートで、ＣＱＩｓを報告することを始める。
【００４９】
図６に示されているように、ＵＥは、ＵＥについての新しい伝送がプライア伝送のＴｑ内で検出されるかぎり、より頻繁にＣＱＩｓを報告することができる。より頻繁なＣＱＩ報告は、ダウンリンクパフォーマンスを改善する。
【００５０】
ＵＥは、連続パケット接続(Continuous Packet Connectivity)（ＣＰＣ）モードで動作することができ、それは、不連続送信(discontinuous transmission)（ＤＴＸ）および不連続受信(discontinuous reception)（ＤＲＸ）をサポートする。ＣＰＣモードにおいて、ＵＥは、ＵＥが送信することができるＯＮサブフレームおよびＵＥが送信することを許可されないＯＦＦサブフレーム、を示すＤＴＸパターンを割り当てることができる。ＤＴＸオペレーションは、ＵＥによって使用された伝送力の量を減らすことができ、バッテリ寿命を改善し、また、アップリンク上の干渉を減らすことができる。
【００５１】
ＤＴＸ ＯＦＦ期間の間に、ＵＥは、アップリンク上にあるいずれのものを送信することを許可されないかもしれない。ＤＴＸ ＯＦＦは、ＣＱＩ報告に優先してもよい。このケースにおいては、適用されているＣＱＩ報告ルールに基づいてＣＱＩを送信する時間である場合、および、ＵＥがＤＴＸ ＯＮ期間においてある場合にのみ、ＣＱＩは、送信されることができる。しかしながら、ＤＴＸ ＯＮ期間のみにＣＱＩを送信することは、チャネル品質の十分に頻繁なフィードバックを提供しない可能性があり、また、悪いＨＳＰＤＡパフォーマンスを結果としてもたらす可能性がある。
【００５２】
また別の態様において、データアクティビティが決定されるときに、例えば上記で説明された技術のうちのいずれかに基づいて、ＤＴＸ ＯＦＦよりも高いプライオリティで、ＣＱＩ報告が与えられている。ＵＥは、データアクティビティが決定されないときには通常ＣＱＩ報告モード(normal CQI reporting mode)において、あるいは、データアクティビティが決定されるときにはプライオリティＣＱＩ報告モード(priority CQI reporting mode)において、動作することができる。通常ＣＱＩ報告モードにおいて、ＣＱＩを送信する時間である場合、および、ＵＥがＤＴＸ ＯＮ期間にある場合には、ＵＥは、ＣＱＩを送信することができる。プライオリティＣＱＩ報告モードにおいて、ＵＥがＤＴＸ ＯＮあるいはＯＦＦ期間であるかどうかに関わらず、ＣＱＩを送信する時間である場合には、ＵＥは、ＣＱＩを送信することができる。
【００５３】
一設計において、ＵＥは、ＵＥがＵＥに対して送信された伝送を検出するときに、プライオリティＣＱＩ報告モードに入る。一設計において、ＵＥは、ＵＥに対して送信された最後の伝送の、あらかじめ決定された時間期間Ｔｃｑｉ内で新しい伝送が検出されるかぎり、プライオリティＣＱＩ報告モードにおいて存続する。Ｔｃｑｉは、例えば、新しいパケットについての期待されたインター到達時間、望ましい量のＣＱＩオーバーヘッドにおける縮小、等、のような様々な要因に基づいて選択されることができる。例えば、Ｔｃｑｉは、１０個のサブフレーム（２０ｍｓである）あるいは何らかの他のある値に設定されることができる。ＵＥは、不定量の時間の間(for a variable amount of time)、プライオリティＣＱＩ報告モードにおいて存続してもよく、ＵＥについてのデータアクティビティの量に依存していてもよい。ＵＥは、もしあらかじめ決定された時間期間Ｔｃｑｉ内にＵＥに伝送が送られなかった場合には、通常ＣＱＩ報告モードに戻ってもよい。
【００５４】
図７は、１個のサブフレームのＤＴＸ ＯＮ期間および４個のサブフレームのＤＴＸ ＯＦＦ期間を有しているＤＴＸパターン、で構成されたＵＥによるＣＱＩ報告の設計を示している。ＵＥは、通常ＣＱＩ報告モードにおいて動作している間にＤＴＸ ＯＮ期間の間に（例、サブフレーム０）および第１のレートで、ＨＳ−ＤＰＣＣＨ上でＣＱＩｓを送信する。ノードＢは、パケットＡについてのトランスポートフォーマットを選択するために、サブフレーム０において送信されたＣＱＩを使用し、また、サブフレーム２においてＨＳ−ＰＤＳＣＨ上でパケットＡを送信する。ＵＥは、パケットＡを正確にデコードし、プライオリティＣＱＩ報告モードに移行し、そして、ＤＴＸ ＯＦＦ期間に関することなく、第２のレート（例えばサブフレームごとに）で、ＣＱＩｓを報告することを始める。ＵＥは、あらかじめ決定された時間期間の経過を追うタイマを保持することができ、また、パケットＡの終了のときにタイマをＴｃｑｉにリセットすることができる。Ｔｃｑｉは、図７で示された例において１６ｍｓに設定されるが、例えば図６について上記に示されているように、さらに他の値に設定されることができる。ＵＥは、タイマが失効するまで、ＤＴＸ ＯＦＦ期間に関連することなく、第２のレートでＣＱＩｓを報告することを続ける。
【００５５】
ノードＢは、パケットＢについてのトランスポートフォーマットを選択するためにサブフレーム７において送信されたＣＱＩを使用し、サブフレーム９においてＨＳ−ＰＤＳＣＨ上でパケットＢを送信する。ＵＥは、タイマの終了の前にパケットＢを受信し、パケットＢを正確にデコードし、パケットＢの終わりにタイマをＴｃｑｉにリセットする。ＵＥはタイマが失効するまで、プライオリティＣＱＩ報告モードにおいてＣＱＩｓを報告し続ける。タイマはサブフレーム１８の間に失効し、また、ＵＥは、この時点から通常ＣＱＩ報告モードにおいてＣＱＩｓを報告することを始める。
【００５６】
図７に示されているように、ＵＥは、新しい伝送がプライア伝送のＴｃｑｉ内でＵＥについて検出されるかぎり、ＤＴＸ ＯＦＦ期間に関することなく、ＣＱＩｓを報告することができる。より頻繁なＣＱＩ報告は、ダウンリンクパフォーマンスを改善する。
【００５７】
図８は、受信機、例えばＵＥ、によって実行されるプロセス８００の設計を示している。受信機におけるデータアクティビティは、例えば上記で説明された技術のうちのいずれかに基づいて、決定されることができる(ブロック８１２)。受信機によるＣＱＩ報告は、決定されたデータアクティビティに基づいて調整されることができる（ブロック８１４）。一設計において、データアクティビティは、受信機に対する周期的あるいは準周期的な伝送について予期されたパケット到達に基づいて決定されることができる。ＣＱＩ報告は、各予期されたパケットの到達のあたりのタイムウィンドウの間イネーブルにされることができ、また、タイムウィンドウの外で、サスペンドされることができる。
【００５８】
ＣＱＩ報告は、ＡＣＫ／ＮＡＣＫフィードバックに基づいて変更されてもよいし、それは、潜在的な今後のデータアクティビティを示していてもよい。一設計において、ＣＱＩ報告は、パケットを正確にデコードした後で、あらかじめ決定された時間期間Ｔｇの間、サスペンドされてもよく、また、あらかじめ決定された時間期間Ｔｇの終わりに再開されてもよい。一設計において、ＣＱＩ報告は、受信機について信号を検出した後でサスペンドされてもよく、また、誤ってデコードされたパケットについてのＮＡＣＫを送信した後で、再開されてもよい。代替的には、パケットが、ＮＡＣＫが送信されるまで待機する代わりに誤ってデコードされたということを認識するときに、ＣＱＩ報告は、イネーブルにされることができる。
【００５９】
一設計において、ＣＱＩｓは、データアクティビティが検出されないときには第１のレートで送信されることができ、また、データアクティビティが検出されるときには第１のレートよりも早い第２のレートで送信されることができる。シグナリングあるいはデータが受信機によって受信されるとき、データアクティビティは、検出されることができる。最後に受信されたシグナリングあるいはデータの、あらかじめ決定された時間期間Ｔｑ内にシグナリングあるいはデータが受信されないときには、データアクティビティは、宣言されなくてもよい。新しいシグナリングあるいはデータが受信されるときに、タイマは、あらかじめ決定された時間期間Ｔｑに設定されることができる。タイマが失効するときには、データアクティビティは、宣言されなくてもよい。
【００６０】
一設計において、受信機は、ＤＴＸモードにおいて動作することができ、ＣＱＩｓは、データアクティビティが検出されないときにはＤＴＸ ＯＮ期間の間のみに送信されることができ、また、データアクティビティが検出されるときにはＤＴＸ ＯＮおよびＯＦＦ期間の両方の間に、送信されることができる。ＣＱＩｓは、また、データアクティビティが検出されないときにはＤＴＸ ＯＮ期間の間に、第１のレートで送信されることができ、また、データアクティビティが検出されるときにはＤＴＸ ＯＮおよびＯＦＦ期間の間に、第１のレートよりも早い第２のレートで送信されることができる。
【００６１】
一般に、チャネル状態情報の報告は、受信機におけるデータアクティビティに基づいて受信機によって調整されることができる。チャネル状態情報は、ＣＱＩと、複数のアンテナから送信されたデータを空間的に処理するあるいはプレコードするために使用されたプレコード化制御インジケーション(precoding control indication)（ＰＣＩ）と、データを送信するのにどのアンテナ（単数または複数）を使用するかを示しているアンテナ選択情報(antenna selection information)と、同時に送信するデータストリームの数を示すランク情報(rank information)と、を備えていてもよい。
【００６２】
図９は、送信機、例えばノードＢ、によって実行されるプロセス９００の設計を示している。ＣＱＩｓは、受信機から受信されることができ、受信機によるＣＱＩ報告は、受信機においてデータアクティビティに基づいて調整されている（ブロック９１２）。データは、受信機から受信されたＣＱＩｓに基づいて、受信機に対して送信されることができる（ブロック９１４）。
【００６３】
パケットは、受信機に送信されることができ、また、ＡＣＫあるいはＮＡＣＫは、パケット用の受信機から受信されることができる。ＡＣＫが受信される場合には、そのときは、ＣＱＩｓは、パケットの終了後あらかじめ決定された時間期間Ｔｇの間に受信されなくてもよい。ＮＡＣＫが受信される場合には、そのときには、ＣＱＩｓは、ＮＡＣＫの直後に受信されることができる。ＣＱＩｓは、データアクティビティが受信機で検出されないときには第１のレートで、あるいは、データアクティビティが受信機で検出されるときには第１のレートよりも早い第２のレートで、受信機から受信されることができる。受信機は、ＤＴＸモードで動作することができる。ＣＱＩｓは、データアクティビティが受信機で検出されないときにはＤＴＸ ＯＮ期間の間にのみに、あるいは、データアクティビティが受信機で検出されるときにはＤＴＸ ＯＮおよびＯＦＦ期間の両方の間に、受信されることができる。
【００６４】
図１０は、ＵＥ１２０の設計のブロック図を示している。アップリンク上で、エンコーダ１０１２は、アップリンク上でＵＥ１２０によって送信される予定である、データおよびシグナリング（例、ＣＱＩｓ）を受信することができる。エンコーダ１０１２は、データおよびシグナリングを処理する（例えば、フォーマット化し、エンコードし、そしてインターリーブする）ことができる。モジュレータ（Ｍｏｄ）１０１４は、さらに、エンコードされたデータおよびシグナリングを処理し（例えば、変調し、チャネル化し、そしてスクランブルする）、出力チップを提供する。送信機(transmitter)（ＴＭＴＲ）１０２２は、出力チップをコンディションし（例、アナログに変換し、フィルタにかけ、増幅し、そして周波数アップコンバートする）、アップリンク信号を生成してもよく、それは、ノードＢｓに対してアンテナ１０２４を介して送信されてもよい。
【００６５】
ダウンリンク上で、アンテナ１０２４は、ノードＢ１１０および他のノードＢｓによって送信されたダウンリンク信号を受信することができる。受信機(receiver)（ＲＣＶＲ）１０２６は、アンテナ１０２４からの受信された信号をコンディションし（例、フィルタし、増幅し、周波数ダウンコンバートし、そしてデジタル化する）、サンプルを提供することができる。デモジュレータ（Ｄｅｍｏｄ）１０１６は、処理し（例、デスクランブルし、チャネル化し、そして復調する）、シンボル推定値を提供することができる。デコーダ１０１８は、シンボル推定値をさらに処理し（例、デインターリーブし、デコードする）、デコードされたデータを提供する。エンコーダ１０１２、モジュレータ１０１４、デモジュレータ１０１６およびデコーダ１０１８は、モデムプロセッサ１０１０によってインプリメントされることができる。これらのユニット(units)は、システムによって使用される無線技術（例えばＷ−ＣＤＭＡ）にしたがって、処理を実行することができる。
【００６６】
コントローラ／プロセッサ１０３０は、ＵＥ１２０で種々なユニットのオペレーションを指示することができる。コントローラ／プロセッサ１０３０は、図８におけるプロセス８００および／またはＣＱＩを報告するための他のプロセス、をインプリメントすることができる。メモリ１０３２は、ＵＥ１２０のためのプログラムコードおよびデータを保存することができる。
【００６７】
図１０は、さらに、ノードＢ１１０のブロック図を示しており、それは、図１におけるノードＢｓのうちの１つであってもよい。ノードＢ１１０内では、送信機／受信機１０３８は、ＵＥ１２０および他のＵＥｓとの無線通信をサポートすることができる。プロセッサ／コントローラ１０４０は、ＵＥｓとの通信のための様々な機能を実行することができる。コントローラ／プロセッサ１０４０は、また、図９におけるプロセス９００、および／または、ＵＥｓからＣＱＩｓを受信しＵＥｓに対してデータを送信するための他の処理、をインプリメントすることができる。メモリ１０４２は、ノードＢ１１０のためのプログラムコードおよびデータを保存することができる。
【００６８】
当業者は、情報および信号は、様々な異なる技術および技法のいずれかを使用して表わされることができるということを、理解するであろう。例えば、上記の説明を通して参照されることができる、データ、インストラクション、コマンド、情報、信号、ビット、シンボル、およびチップは、電圧、電流、電磁波、磁場あるいは磁性粒子、光場あるいは光学粒子、あるいはそれらのいずれの組合せ、によって表わされることができる。
【００６９】
当業者は、様々な説明のための論理ブロック、モジュール、回路、および、ここにおける開示に関連して説明されたアルゴリズムステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、モジュール、回路およびステップが、一般に、それらの機能性という観点から、上記に説明されてきた。そのような機能性が、ハードウェアあるいはソフトウェアとしてインプリメントされるかどうかは、特定のアプリケーションと全体のシステムに課された設計制約(particular application and design constraints imposed on the overall system)に依存する。熟練職人は、各特定のアプリケーションについての様々な方法で、説明された機能性をインプリメントすることができるが、そのようなインプリメンテーションの決定は、本開示の範囲からの逸脱を生じさせるものとして解釈されるべきでない。
【００７０】
ここにおける開示に関連して説明された様々な説明のための論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタロジック、ディスクリートハードウェアコンポーネント、あるいはここに説明された機能を実行するために設計されたそれらのいずれの組み合わせで、インプリメントされるあるいは実行されることができる。汎用プロセッサは、マイクロプロセッサであってもよいが、代替として、プロセッサは、いずれの従来プロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１つまたは複数のマイクロプロセッサ、あるいはいずれの他のそのような構成のもの、としてインプリメントされてもよい。
【００７１】
ここにおける開示に関連して説明された方法あるいはアルゴリズムのステップは、ハードウェアにおいて、プロセッサによって実行されたソフトウェアモジュールにおいて、あるいはこれら２つの組み合わせにおいて、直接的に具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られているストレージメディアのいずれの他の形態において存在する(reside)ことができる。例示的なストレージメディアは、プロセッサがストレージメディアから情報を読み取ることができ、またストレージメディアに情報を書き込むことができるように、プロセッサに結合される。別の方法では、ストレージメディアは、プロセッサと一体化していてもよい。プロセッサとストレージメディアは、ＡＳＩＣにおいて存在していてもよい。ＡＳＩＣは、ユーザ端末に存在していてもよい。あるいは、プロセッサとストレージメディアは、ユーザ端末におけるディスクリートコンポーネントとして存在することができる。
【００７２】
１つまたは複数の例示的な設計においては、説明された機能は、ハードウェア、ソフトウェア、ファームウェアあるいはそれらのいずれの組み合わせにおいてインプリメントされることができる。ソフトウェアでインプリメントされる場合には、機能は、１つまたは複数のインストラクションあるいはコンピュータ可読メディア上のコードとして、送信される、あるいは保存されることができる。コンピュータ可読メディアは、１つの場所から別の場所へとコンピュータのプログラムの移動(transfer)を容易にするいずれのメディアを含んでいる、通信メディアとコンピュータストレージメディアとの両方を含んでいる。ストレージメディアは、汎用あるいは専用のコンピュータによってアクセスされることができるいずれの利用可能なメディアであってもよい。例として、また限定されないが、そのようなコンピュータ可読メディアは、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、いずれの他のメディアを備えることができ、それらは、データストラクチャあるいはインストラクションの形態において望ましいプログラムコードの手段を保存するあるいは搬送するように使用されることができるいずれの他のメディア、また、汎用あるいは専用のコンピュータ、あるいは、汎用あるいは専用のプロセッサによってアクセスされることができるいずれの他のメディアを備えることができる。また、いずれの接続もコンピュータ可読メディアと適切に名付けられる。例えば、ソフトウェアがウェブサイト、サーバ、あるいは、同軸ケーブル、光ファイバケーブル、ツイストペア(twisted pair)、デジタル加入者ライン（ＤＳＬ）、あるいは赤外線、無線、およびマイクロ波のような無線技術、を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、メディアの定義に含まれている。ディスク (disk)およびディスク(disc)は、ここに使用されているように、コンパクトディスク(compact disc)（ＣＤ）、レーザーディスク（登録商標）(laser disc)、光ディスク(optical disc)、デジタルバーサタイルディスク(digital versatile disc)(DVD)、フロッピー（登録商標）ディスク、およびブルーレイディスク(blu-ray disc)を含んでおり、ディスク (disks)は、大抵、磁気でデータを再生しているが、ディスク(discs)は、レーザーを用いて光学的にデータを再生する。上記の組み合わせは、また、コンピュータ可読メディアの範囲内に含まれているべきである。
【００７３】
本開示の、以上の説明は、いずれの当業者も本発明を作り、使用することができるように提供されている。本開示に対する様々な修正は、当業者にとって容易に明らかであろう、そして、ここにおいて定義された包括的な原理は、本開示の範囲から逸脱することなく、他の変形に適用されることができる。したがって、本開示は、ここに説明された設計および例に限定されるようには意図されてはおらず、ここに開示された原理および新規な特徴に整合する最も広い範囲が与えられるべきである。
以下に、本願出願の当初の特許請求の範囲に記載された発明を付記する。
［１］受信機においてデータアクティビティを決定する、そして、前記の決定されたデータアクティビティに基づいて前記受信機によってチャネル品質インジケータ（ＣＱＩ）報告を調整する、少なくとも１つのプロセッサと、
前記少なくとも１つのプロセッサに結合されたメモリと、
を備えている装置。
［２］前記少なくとも１つのプロセッサは、前記受信機に対する周期的あるいは準周期的な伝送について期待されたパケットの到達に基づいてデータアクティビティを決定し、各期待されたパケット到達の周りのタイムウィンドウにおいてＣＱＩｓを送信し、そして、前記タイムウィンドウの外でＣＱＩ報告をサスペンドする、［１］に記載の装置。
［３］前記少なくとも１つのプロセッサは、正確にパケットをデコードした後であらかじめ決定された時間の間、ＣＱＩ報告をサスペンドし、また、前記あらかじめ決定された時間期間の終わりにＣＱＩ報告を再開する、［１］に記載の装置。
［４］前記少なくとも１つのプロセッサは、前記受信機についてのシグナリングを検出した後でＣＱＩ報告をサスペンドし、誤ってパケットをデコードし、また、前記パケットについての否定応答（ＮＡＣＫ）を送信した後でのＣＱＩ報告をイネーブルにする、［１］に記載の装置。
［５］前記少なくとも１つのプロセッサは、データアクティビティが検出されないときには第１のレートでＣＱＩｓを送信し、また、データアクティビティが検出されるときには前記第１のレートよりも早い第２のレートでＣＱＩｓを送信する、［１］に記載の装置。
［６］前記少なくとも１つのプロセッサは、シグナリングあるいはデータが受信されるときにはデータアクティビティが検出されることを宣言し、最後に受信されたシグナリングあるいはデータのあらかじめ決定された時間期間内にシグナリングあるいはデータが受信されないときにはデータアクティビティは検出されないことを宣言する、［５］に記載の装置。
［７］前記少なくとも１つのプロセッサは、新しいシグナリングあるいはデータが受信されるときには、前記あらかじめ決定された時間期間にタイマをリセットし、また、前記タイマが失効するときにはデータアクティビティが検出されないことを宣言する、［６］に記載の装置。
［８］前記少なくとも１つのプロセッサは、不連続伝送（ＤＴＸ）モードにおいて動作しており、データアクティビティが検出されないときにはＤＴＸ ＯＮ期間の間にのみにＣＱＩｓを送信し、また、データアクティビティが検出されるときにはＤＴＸ ＯＮおよびＯＦＦ期間の間にＣＱＩｓを送信する、［１］に記載の装置。
［９］前記少なくとも１つのプロセッサは、データアクティビティが検出されないときには前記ＤＴＸ ＯＮ期間の間に、第１のレートでＣＱＩｓを送信し、データアクティビティが検出されるときには前記ＤＴＸ ＯＮおよびＯＦＦ期間の間に、前記第１のレートよりも早い第２のレートでＣＱＩｓを送信する、［８］に記載の装置。
［１０］受信機でデータアクティビティを決定することと、
前記の決定されたデータアクティビティに基づいて、前記受信機によってチャネル品質インジケータ（ＣＱＩ）報告を調整することと、
を備えている方法。
［１１］前記のＣＱＩ報告を調整することは、
正確にパケットを復号した後であらかじめ決定された時間期間の間にＣＱＩ報告をサスペンドすることと、
誤ってデコードされたパケットについての否定応答（ＮＡＣＫ）を送信した後でＣＱＩ報告を可能にすることと、
を備えている、［１０］に記載の方法。
［１２］前記のＣＱＩ報告を調整することは、
データアクティビティが検出されないときには第１のレートでＣＱＩｓを送信することと、
データアクティビティが検出されるときには前記第１のレートよりも早い第２のレートでＣＱＩｓを送信することと、
を備えている、［１０］に記載の方法。
［１３］前記のデータアクティビティを決定することは、
シグナリングあるいはデータが受信されるときには、データアクティビティが検出されることを宣言することと、
最後に受信されたシグナリングあるいはデータのあらかじめ決定された時間期間内でシグナリングあるいはデータが受信されないときには、データアクティビティが検出されないことを宣言することと、
を備えている、［１０］に記載の方法。
［１４］前記のＣＱＩを報告することは、
データアクティビティが検出されないときには、不連続伝送（ＤＴＸ）ＯＮ期間の間にのみにＣＱＩｓを送信することと、
データアクティビティが検出されるときには、ＤＴＸ ＯＮおよびＯＦＦ期間の間に、ＣＱＩｓを送信することと、
を備えている、［１０］に記載の方法。
［１５］受信機においてデータアクティビティを決定するための手段と、
前記の決定されたデータアクティビティに基づいて、前記受信機によってチャネル品質インジケータ（ＣＱＩ）報告を調整するための手段と、
を備えている装置。
［１６］前記のＣＱＩ報告を調整するための手段は、
正確にパケットをデコードした後で、あらかじめ決定された時間期間の間にＣＱＩ報告をサスペンドするための手段と、
誤ってデコードされたパケットについて否定応答（ＮＡＣＫ）を送信した後で、ＣＱＩ報告を可能にするための手段と、
を備えている、［１５］に記載の装置。
［１７］前記のＣＱＩ報告を調整するための手段は、
データアクティビティが検出されないときには、第１のレートでＣＱＩｓを送信するための手段と、
データアクティビティが検出されるときには、前記第１のレートよりも早い第２のレートでＣＱＩｓを送信するための手段と、
を備えている、［１５］に記載の装置。
［１８］前記のデータアクティビティを決定するための手段は、
シグナリングあるいはデータが受信されるときには、データアクティビティは検出されることを宣言するための手段と、
最後に受信されたシグナリングあるいはデータのあらかじめ決定された時間期間内で、シグナリングあるいはデータが受信されないときには、データアクティビティは検出されないことを宣言するための手段と、
を備えている、［１５］に記載の装置。
［１９］前記のＣＱＩ報告を調整するための手段は、
データアクティビティが検出されないときには、不連続伝送（ＤＴＸ）ＯＮ期間の間にのみにＣＱＩｓを送信するための手段と、
データアクティビティが検出されるときには、ＤＴＸ ＯＮおよびＯＦＦ期間の間にＣＱＩｓを送信するための手段と、
を備えている、［１５］に記載の装置。
［２０］受信機においてデータアクティビティをコンピュータに決定させるためのコードと、
前記の決定されたデータアクティビティに基づいて、前記受信機によってチャネル品質インジケータ（ＣＱＩ）報告を前記コンピュータに調整させるためのコードと、
を備えているコンピュータ可読メディア、を備えているコンピュータプログラムプロダクト。
［２１］前記コンピュータ可読メディアは、
正確にパケットをデコードした後であらかじめ決定された時間期間の間にＣＱＩ報告を前記コンピュータにサスペンドさせるためのコードと、
誤ってデコードされたパケットについての否定応答（ＮＡＣＫ）を送信した後でＣＱＩ報告を前記コンピュータにイネーブルにさせるためのコードと、
をさらに備えている、［２０］に記載のコンピュータプログラムプロダクト。
［２２］前記コンピュータ可読メディアは、
データアクティビティが検出されないときには、第１のレートでＣＱＩｓを前記コンピュータに送信させるためのコードと、
データアクティビティが検出されるときには、前記第１のレートよりも早い第２のレートでＣＱＩｓを前記コンピュータに送信させるためのコードと、
をさらに備えている、［２０］に記載のコンピュータプログラムプロダクト。
［２３］前記コンピュータ可読メディアは、
シグナリングあるいはデータが受信されるときには、データアクティビティは検出されることを前記コンピュータに宣言させるためのコードと、
最後に受信されたシグナリングあるいはデータのあらかじめ決定された時間期間内でシグナリングあるいはデータが受信されないときには、データアクティビティは検出されないことを前記コンピュータに宣言させるためのコードと、
をさらに備えている、［２０］に記載のコンピュータプログラムプロダクト。
［２４］前記コンピュータ可読メディアは、
データアクティビティが検出されないときには、不連続伝送（ＤＴＸ）ＯＮ期間の間にのみに、ＣＱＩｓを前記コンピュータに送信させるためのコードと、
データアクティビティが検出されるときには、ＤＴＸ ＯＮおよびＯＦＦ期間の間に、ＣＱＩｓを前記コンピュータに送信させるためのコードと、
をさらに備えている、［２０］に記載のコンピュータプログラムプロダクト。
［２５］受信機でデータアクティビティを決定する、また、前記の決定されたデータアクティビティに基づいて前記受信機によってチャネル状態情報の報告を調整する、少なくとも１つのプロセッサと、
前記少なくとも１つのプロセッサに結合されたメモリと、
を備えている装置。
［２６］前記チャネル状態情報は、チャネル品質インジケータ（ＣＱＩ）、プレコーディング制御インジケーション（ＰＣＩ）、アンテナ選択情報、およびランク情報、のうちの少なくとも１つを備えている、［２５］に記載の装置。
［２７］受信機からチャネル品質インジケータ（ＣＱＩｓ）を受信する、また、
前記受信機から受信された前記ＣＱＩｓに基づいて前記受信機にデータを送信する、少なくとも１つのプロセッサと、
なお、前記受信機によるＣＱＩ報告は、前記受信機においてデータアクティビティに基づいて調整されている；
前記少なくとも１つのプロセッサに結合されたメモリと；
を備えている装置。
［２８］前記少なくとも１つのプロセッサは、前記受信機にパケットを送信し、応答（ＡＣＫ）が前記パケットについて受信される場合には、前記パケットの後、あらかじめ決定された期間の間ＣＱＩｓを受信せず、否定応答（ＮＡＣＫ）が前記パケットについて受信される場合には、前記ＮＡＣＫの後でＣＱＩｓを受信する、［２７］に記載の装置。
［２９］前記少なくとも１つのプロセッサは、データアクティビティが前記受信機において検出されないとき、前記受信機から第１のレートでＣＱＩｓを受信し、データアクティビティが前記受信機において検出されるとき、前記受信機から前記第１レートよりも早い第２のレートでＣＱＩｓを受信する、［２７］に記載の装置。
［３０］前記受信機は、不連続伝送（ＤＴＸ）モードにおいて動作し、前記少なくとも１つのプロセッサは、前記受信機においてデータアクティビティが検出されないときには前記受信機のためにＤＴＸ ＯＮ期間の間にのみＣＱＩｓを受信し、データアクティビティが前記受信機において検出されるときには前記受信機のためにＤＴＸ ＯＮおよびＯＦＦ期間の間にＣＱＩｓを受信する、［２７］に記載の装置。
［３１］受信機からチャネル品質インジケータ（ＣＱＩｓ）を受信することと、なお、前記受信機によるＣＱＩ報告は、前記受信機においてデータアクティビティに基づいて調整されている；
前記受信機から受信された前記ＣＱＩｓに基づいて前記受信機にデータを送信することと、
を備えている方法。
［３２］前記受信機にデータを前記送信することは、前記受信機にパケットを送信することを備えており、前記受信機からＣＱＩｓを前記受信することは、
応答（ＡＣＫ）が前記パケットについて受信される場合には、前記パケットの後あらかじめ決定された期間の間、ＣＱＩｓを受信しないことと、
否定応答（ＮＡＣＫ）が前記パケットについて受信される場合には、前記ＮＡＣＫの後でＣＱＩｓを受信することと、
を備えている、［３１］に記載の方法。
［３３］前記受信機からＣＱＩｓを前記受信することは、
データアクティビティが前記受信機において検出されないときには、前記受信機から第１のレートでＣＱＩｓを受信することと、
データアクティビティが前記受信機において検出されるときには、前記受信機から前記第１のレートよりも早い第２のレートでＣＱＩｓを受信することと、
を備えている、［３１］に記載の方法。
［３４］前記受信機からＣＱＩｓを前記受信することは、
データアクティビティが前記受信機において検出されないとき、前記受信機について不連続伝送（ＤＴＸ）ＯＮ期間の間にのみＣＱＩｓを受信することと、
データアクティビティが前記受信機において検出されるとき、前記受信機についてＤＴＸ ＯＮおよびＯＦＦ期間の間にＣＱＩｓを受信することと、
を備えている、［３１］に記載の方法。
【図１】
0005591861.tif 000003
【図２】
0005591861.tif 000004
【図３】
0005591861.tif 000005
【図４Ａ】
0005591861.tif 000006
【図４Ｂ】
0005591861.tif 000007
【図５】
0005591861.tif 000008
【図６】
0005591861.tif 000009
【図７】
0005591861.tif 000010
【図８】
0005591861.tif 000011
【図９】
0005591861.tif 000012
【図１０】
0005591861.tif 000013